(57)【要約】【課題】装置の小型化、部品点数の削減化、コストの低減化を図ることができるレンズ鏡筒および撮像装置並びにその製造方法を提供する。【解決手段】第３の固定レンズ２７は前面２７０２および背面２７０４と、これら前面２７０２および背面２７０４を接続する外周面２７０６と、第３の固定レンズ２７の光軸と直交する面上を延在する当て付け面２７０８とを備えている。外周面２７０６は互いに平行する平面で形成された２つの平面部２７１０を有している。レンズ取付部５４は当て付け面２７０８を当接壁５４０２に当接させるばね手段５６と、２つの取り付け壁５４０４と、各取り付け壁５４０４に設けられた接着剤注入用孔５４０６，５４０７とを備えている。【選択図】        図２２
2006133344.tif 000002
【特許請求の範囲】
【請求項１】
鏡筒の内部に設けられた撮像素子と、
前記鏡筒の内部で被写体像を前記撮像素子に導く光学系とを備え、
前記光学系は、前記鏡筒の内部のレンズ取付部に固定された固定レンズを有するレンズ鏡筒であって、
前記固定レンズは、厚さ方向の両端に位置する前面および背面と、これら前面および背面を接続する外周面と、前記固定レンズの光軸と直交する面上を延在する当て付け面とを備え、
前記外周面は、互いに対向し互いに平行する平面で形成された２つの平面部と、前記２つの平面部の両端をそれぞれ接続する２つの環状面とを有し、
前記レンズ取付部は、前記当て付け面に当接可能な当接壁と、前記固定レンズの前面または背面の一方の外周面寄り箇所に弾接し前記当て付け面を前記当接壁に当接させるばね手段と、前記各平面部との間に隙間をあけて各平面部にそれぞれ臨むように設けられた２つの取り付け壁と、前記各取り付け壁に前記鏡筒の内部と外部とを貫通し前記鏡筒の内部において前記平面部に臨むようにそれぞれ設けられた接着剤注入用孔とを備え、
前記固定レンズは、前記ばね手段により前記当て付け面が前記当接壁に当接された状態で前記接着剤注入用孔から注入された接着剤により前記２つの平面部が前記各取り付け壁にそれぞれ平行した状態で固定されている、
ことを特徴とするレンズ鏡筒。
【請求項２】
前記平面部は、前記固定レンズの厚さ方向に沿った幅と、前記幅と直交する方向に延在する長さとを有し、前記接着剤注入用孔の断面は、前記平面部の幅よりも小さい寸法の幅と、前記平面部の長さよりも大きい寸法の長さを有していることを特徴とする請求項１記載のレンズ鏡筒。
【請求項３】
前記平面部は、前記固定レンズの厚さ方向に沿った幅と、前記幅と直交する方向に延在する長さとを有し、前記平面部の長さ方向における両端と前記環状面の端部とが接続され、前記接着剤注入用孔の断面は前記平面部の長さよりも大きい寸法の長さを有し、前記接着剤注入用孔は、前記平面部の長さ方向における両端の前記環状面の端部に臨むように形成されていることを特徴とする請求項１記載のレンズ鏡筒。
【請求項４】
前記平面部は、前記固定レンズの厚さ方向に沿った幅と、前記幅と直交する方向に延在する長さとを有し、前記接着剤注入用孔は、前記平面部の長さ方向に間隔をおいて２つ設けられていることを特徴とする請求項１記載のレンズ鏡筒。
【請求項５】
前記平面部は、前記固定レンズの厚さ方向に沿った幅と、前記幅と直交する方向に延在する長さとを有し、前記接着剤注入用孔は、前記平面部の長さ方向に間隔をおいて２つ設けられ、各接着剤注入用孔は、前記平面部の長さ方向の端部およびこの端部に接続する前記環状面の端部に臨むように形成されていることを特徴とする請求項１記載のレンズ鏡筒。
【請求項６】
前記環状面は、前記固定レンズの光軸を中心とした円筒面で形成されていることを特徴とする請求項１記載のレンズ鏡筒。
【請求項７】
前記２つの平面部は、前記固定レンズの光軸を通る仮想の平面に対して直交する平面上を延在していることを特徴とする請求項１記載のレンズ鏡筒。
【請求項８】
鏡筒は互いに平行して対向する２組の平坦な外壁により形成され、その内部に前記固定レンズよりも大きい輪郭の矩形の収容空間を有し、前記２つの取り付け壁は、前記２組の外壁のうちの１組の外壁の部分により構成されていることを特徴とする請求項１記載のレンズ鏡筒。
【請求項９】
前記当接壁と前記ばね手段は、前記固定レンズの厚さ方向に間隔をおいて設けられ、前記接着剤注入用孔はそれら当接壁とばね手段との間に位置する前記取り付け壁の箇所に形成されていることを特徴とする請求項１記載のレンズ鏡筒。
【請求項１０】
前記固定レンズは、直径の大きい第１レンズと、前記第１レンズよりも直径の小さい第２レンズとが貼り合わせて構成され、前記平面部および環状面は前記第１レンズの外周面に形成されている請求項１記載のレンズ鏡筒。
【請求項１１】
前記固定レンズは、直径の大きい第１レンズと、前記第１レンズよりも直径の小さい第２レンズとが貼り合わせて構成され、前記当て付け面は、前記第２レンズの半径方向の外側に露出する前記第１レンズの前面部分または背面部分で構成されている請求項１記載のレンズ鏡筒。
【請求項１２】
鏡筒の内部に設けられた撮像素子と、
前記鏡筒の内部で被写体像を前記撮像素子に導く光学系とを備え、
前記光学系は、前記鏡筒の内部のレンズ取付部に固定された固定レンズを有するレンズ鏡筒の製造方法であって、
前記固定レンズは、厚さ方向の両端に位置する前面および背面と、これら前面および背面を接続する外周面と、前記固定レンズの光軸と直交する面上を延在する当て付け面とを備え、
前記外周面は、互いに対向し互いに平行する平面で形成された２つの平面部と、前記２つの平面部の両端をそれぞれ接続する２つの環状面とを有し、
前記レンズ取付部に、前記当て付け面に当接可能な当接壁と、前記固定レンズの前面または背面の一方の外周面寄り箇所に弾接し前記当て付け面を前記当接壁に当接させるばね手段と、前記各平面部との間に隙間をあけて各平面部にそれぞれ臨む２つの取り付け壁と、前記各取り付け壁に前記鏡筒の内部と外部とを貫通し前記鏡筒の内部において前記平面部に臨む２つの接着剤注入用孔とを設けておき、
前記固定レンズを、前記ばね手段により前記当て付け面を前記当接壁に当接させた状態とし、
２つの接着剤注入用孔のうちの一方の接着剤注入用孔から第１の治具を挿入してその先端を前記平面部に当て付ける共に、２つの接着剤注入用孔のうちの他方の接着剤注入用孔から第２の治具を挿入してその先端を前記平面部の両端の環状面にそれぞれ当て付け、
前記第１の治具と第２の治具により、各平面部が２つの取り付け壁に対して平行状態を維持するように前記ばね手段の付勢力に抗して前記固定レンズを平行移動させて前記固定レンズの光軸調整を行い、
前記光軸調整の後、２つの接着剤注入用孔からそれぞれ接着剤を注入し、この接着剤により前記固定レンズを前記レンズ取り付け部に取着するようにした、
ことを特徴とするレンズ鏡筒の製造方法。
【請求項１３】
鏡筒の内部に設けられた撮像素子と、
前記鏡筒の内部で被写体像を前記撮像素子に導く光学系とを備え、
前記光学系は、前記鏡筒の内部のレンズ取付部に固定された固定レンズを有するレンズ鏡筒を備える撮像装置であって、
前記固定レンズは、厚さ方向の両端に位置する前面および背面と、これら前面および背面を接続する外周面と、前記固定レンズの光軸と直交する面上を延在する当て付け面とを備え、
前記外周面は、互いに対向し互いに平行する平面で形成された２つの平面部と、前記２つの平面部の両端をそれぞれ接続する２つの環状面とを有し、
前記レンズ取付部は、前記当て付け面に当接可能な当接壁と、前記固定レンズの前面または背面の一方の外周面寄り箇所に弾接し前記当て付け面を前記当接壁に当接させるばね手段と、前記各平面部との間に隙間をあけて各平面部にそれぞれ臨むように設けられた２つの取り付け壁と、前記各取り付け壁に前記鏡筒の内部と外部とを貫通し前記鏡筒の内部において前記平面部に臨むようにそれぞれ設けられた接着剤注入用孔とを備え、
前記固定レンズは、前記ばね手段により前記当て付け面が前記当接壁に当接された状態で前記接着剤注入用孔から注入された接着剤により前記２つの平面部が前記各取り付け壁にそれぞれ平行した状態で固定されている、
ことを特徴とする撮像装置。
【発明の詳細な説明】
【技術分野】
【０００１】
本発明はレンズ鏡筒および撮像装置並びにその製造方法に関する。
【背景技術】
【０００２】
撮像装置のレンズ鏡筒は、鏡筒の内部に設けられた撮像素子と、前記鏡筒の内部で被写体像を前記撮像素子に導く光学系とを備えている。
光学系は、多くの場合、鏡筒内部に設けられたレンズ取付部に固定された固定レンズを含んで構成されている。
このような固定レンズは、光学系の光軸にその光軸を合致させた状態で、すなわち調芯がなされた状態で鏡筒に取り付ける必要があり、固定レンズを取り付けるにあたって、光学系のレンズを保持するための基板を設け、鏡筒に組み込む前にこの基板上において固定レンズを他の光学系のレンズに対して位置決め固定する技術が知られている（例えば特許文献１参照）。
【特許文献１】特開平１０−２３２３３５号公報
【発明の開示】
【発明が解決しようとする課題】
【０００３】
しかしながら、このような従来技術では、鏡筒の内部において、固定レンズを鏡筒に対して位置決めすることができない不具合があった。
また、鏡筒の内部に、固定レンズを位置決めするための調整機構を組み込んだものも提案されているが、調整機構を鏡筒の内部に組み込むため、装置が大型化し、また、装置毎に調整機構を有することから部品点数が増大し、コストの低減化を図ることができない不具合があった。
本発明はこのような事情に鑑みなされたものであり、その目的は、装置の小型化を図れ、また、部品点数の削減化、コストの低減化を図ることができるレンズ鏡筒および撮像装置並びにその製造方法を提供することにある。
【課題を解決するための手段】
【０００４】
上述の目的を達成するため、鏡筒の内部に設けられた撮像素子と、前記鏡筒の内部で被写体像を前記撮像素子に導く光学系とを備え、前記光学系は、前記鏡筒の内部のレンズ取付部に固定された固定レンズを有するレンズ鏡筒であって、前記固定レンズは、厚さ方向の両端に位置する前面および背面と、これら前面および背面を接続する外周面と、前記固定レンズの光軸と直交する面上を延在する当て付け面とを備え、前記外周面は、互いに対向し互いに平行する平面で形成された２つの平面部と、前記２つの平面部の両端をそれぞれ接続する２つの環状面とを有し、前記レンズ取付部は、前記当て付け面に当接可能な当接壁と、前記固定レンズの前面または背面の一方の外周面寄り箇所に弾接し前記当て付け面を前記当接壁に当接させるばね手段と、前記各平面部との間に隙間をあけて各平面部にそれぞれ臨むように設けられた２つの取り付け壁と、前記各取り付け壁に前記鏡筒の内部と外部とを貫通し前記鏡筒の内部において前記平面部に臨むようにそれぞれ設けられた接着剤注入用孔とを備え、前記固定レンズは、前記ばね手段により前記当て付け面が前記当接壁に当接された状態で前記接着剤注入用孔から注入された接着剤により前記２つの平面部が前記各取り付け壁にそれぞれ平行した状態で固定されていることを特徴とする。
また、本発明は、鏡筒の内部に設けられた撮像素子と、前記鏡筒の内部で被写体像を前記撮像素子に導く光学系とを備え、前記光学系は、前記鏡筒の内部のレンズ取付部に固定された固定レンズを有するレンズ鏡筒の製造方法であって、前記固定レンズは、厚さ方向の両端に位置する前面および背面と、これら前面および背面を接続する外周面と、前記固定レンズの光軸と直交する面上を延在する当て付け面とを備え、前記外周面は、互いに対向し互いに平行する平面で形成された２つの平面部と、前記２つの平面部の両端をそれぞれ接続する２つの環状面とを有し、前記レンズ取付部に、前記当て付け面に当接可能な当接壁と、前記固定レンズの前面または背面の一方の外周面寄り箇所に弾接し前記当て付け面を前記当接壁に当接させるばね手段と、前記各平面部との間に隙間をあけて各平面部にそれぞれ臨む２つの取り付け壁と、前記各取り付け壁に前記鏡筒の内部と外部とを貫通し前記鏡筒の内部において前記平面部に臨む２つの接着剤注入用孔とを設けておき、前記固定レンズを、前記ばね手段により前記当て付け面を前記当接壁に当接させた状態とし、２つの接着剤注入用孔のうちの一方の接着剤注入用孔から第１の治具を挿入してその先端を前記平面部に当て付ける共に、２つの接着剤注入用孔のうちの他方の接着剤注入用孔から第２の治具を挿入してその先端を前記平面部の両端の環状面にそれぞれ当て付け、前記第１の治具と第２の治具により、各平面部が２つの取り付け壁に対して平行状態を維持するように前記ばね手段の付勢力に抗して前記固定レンズを平行移動させて前記固定レンズの光軸調整を行い、前記光軸調整の後、２つの接着剤注入用孔からそれぞれ接着剤を注入し、この接着剤により前記固定レンズを前記レンズ取り付け部に取着するようにしたことを特徴とする。
また、本発明は、鏡筒の内部に設けられた撮像素子と、前記鏡筒の内部で被写体像を前記撮像素子に導く光学系とを備え、前記光学系は、前記鏡筒の内部のレンズ取付部に固定された固定レンズを有するレンズ鏡筒を備える撮像装置であって、前記固定レンズは、厚さ方向の両端に位置する前面および背面と、これら前面および背面を接続する外周面と、前記固定レンズの光軸と直交する面上を延在する当て付け面とを備え、前記外周面は、互いに対向し互いに平行する平面で形成された２つの平面部と、前記２つの平面部の両端をそれぞれ接続する２つの環状面とを有し、前記レンズ取付部は、前記当て付け面に当接可能な当接壁と、前記固定レンズの前面または背面の一方の外周面寄り箇所に弾接し前記当て付け面を前記当接壁に当接させるばね手段と、前記各平面部との間に隙間をあけて各平面部にそれぞれ臨むように設けられた２つの取り付け壁と、前記各取り付け壁に前記鏡筒の内部と外部とを貫通し前記鏡筒の内部において前記平面部に臨むようにそれぞれ設けられた接着剤注入用孔とを備え、前記固定レンズは、前記ばね手段により前記当て付け面が前記当接壁に当接された状態で前記接着剤注入用孔から注入された接着剤により前記２つの平面部が前記各取り付け壁にそれぞれ平行した状態で固定されていることを特徴とする。
【発明の効果】
【０００５】
そのため、本発明によれば、固定レンズの外周面は、外周面の互いに対向する箇所に形成された２つの平面部を有し、各平面部が取り付け壁にほぼ平行するように配置されているので、鏡筒の前後方向の厚さを短縮し、撮像装置の小型化を図る上で有利となる。
接着剤を注入する前にこれら接着剤注入用孔を利用して固定レンズの光軸調整を簡単に行うことができ、組み立て作業効率を向上し組み立てコストを低減する上で有利となる。
また、固定レンズの位置決めと接着を同一の接着剤注入孔を用いて行なうため、鏡筒に設ける孔が少なくて済み、鏡筒の小型化および強度向上を図る上で有利である。
また、本実施例では、当接壁とばね手段によって固定レンズを保持しているので、適宜治具により接着剤注入用孔から固定レンズの光軸調整を行った後、前記の治具を取り出しても固定レンズは光軸調整された状態に保持され、したがって、組み立て作業効率をより一層向上する上で有利となる。
また、光軸調整の際、互いに対向する２つの接着剤注入用孔から互いに対向する固定レンズの箇所に第１の治具と第２の治具を当て付けるので、第１の治具と第２の治具により固定レンズを回転させることなく平行移動でき、光軸調整の際の固定レンズの損傷を防止でき、また、有効径の範囲内に平面部が入ることを防止できる。
【発明を実施するための最良の形態】
【０００６】
装置の小型化、部品点数の削減化、コストの低減化を図るという目的を、固定レンズの外周面に２つの平面部を設け、ばね手段により固定レンズの当て付け面がレンズ取付部の当接壁に当接された状態で固定レンズを位置決めし、接着剤注入用孔に注入された接着剤により２つの平面部がレンズ取付部の取り付け壁にそれぞれ平行した状態で固定することによって実現した。
【実施例１】
【０００７】
次に本発明の実施例１について図面を参照して説明する。
本実施例では、本発明のレンズ鏡筒が撮像装置に組み込まれている場合について説明する。
図１は実施例１の撮像装置を前方から見た斜視図、図２は実施例１の撮像装置を後方から見た斜視図、図３は実施例１の撮像装置を下方から見た斜視図、図４はメモリカードおよびバッテリーの収容状態を説明する説明図、図５は撮像装置の制御系を示すブロック図である。
図１、図２に示すように、撮像装置１００はデジタルスチルカメラであって、外装を構成する矩形板状のケース１０２を有し、ケース１０２は、前側ケース１０２Ａと後側ケース１０２Ｂとが合わせられて構成され、前側ケース１０２Ａによりケース１０２の前面が構成され、後側ケース１０２Ｂによりケース１０２の後面が構成されている。なお、本明細書においてケース１０２の前後方向は被写体側を前方、被写体側と反対側を後方といい、ケース１０２の左右方向はケース１０２を前方から見た状態でいうものとする。
ケース１０２の右側部には、図中二点鎖線で示すように、本発明に係るレンズ鏡筒１０が組み込まれており、レンズ鏡筒１０には、撮像素子１２８と、被写体像を撮像素子１２８に導く光学系１０４などが設けられている。
光学系１０４は対物レンズ１４を備え、対物レンズ１４は前側ケース１０２Ａに設けられたレンズ窓１０３を介してケース１０２前方に臨んで配置されている。
ケース１０２の前面右寄りの箇所には、撮影補助光を出射するフラッシュ１０８、セルフタイマーランプ１１０などが設けられている。
ケース１２の前面にはカバー１１２が上下にスライド可能に設けられ、このカバー１１２は、図１に示すようにレンズ窓１０３、フラッシュ１０８、セルフタイマーランプ１１０を前方に露出させる下限位置と、これらレンズ窓１０３、フラッシュ１０８、セルフタイマーランプ１１０を覆う上限位置とにスライドされる。
ケース１２の上面の左寄り箇所には、シャッターボタン１１４、電源ボタン１１６などが設けられている。
ケース１２の後面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１２の左側面には、撮像装置１００を静止画撮影モード、動画撮影モード、再生・編集モードなどに切り替えるためのモードスイッチ１２６が設けられている。
図３、図４に示すように、ケース１０２の下面には、静止画あるいは動画などの画像などを記録するためのメモリカード１３２を装脱可能に収容するメモリ収容室１０２Ａと、撮像装置１００の電源を構成するバッテリー１３８を装脱可能に収容するバッテリー収容室１０２Ｂとがケース１２の前後方向（厚さ方向）に並べて設けられている。これらメモリ収容室１０２Ａ、バッテリー収容室１０２Ｂはケース１０２の下面にヒンジを介して連結された開閉蓋１０２Ｃによって開閉される。
【０００８】
図５に示すように、撮像素子１２８は、光学系１０４によって結像された被写体像を撮像するＣＣＤやＣＭＯＳセンサなどで構成されている。
撮像素子１２８で撮像された像は撮像信号として画像処理部１３０に出力され、画像処理部１３０ではこの撮像信号に対して処理がなされることで静止画あるいは動画の画像データが生成され、メモリカード（記憶媒体）１３２に記録される。また、前記画像データは表示処理部１３４によりディスプレイ１１８に表示される。
さらに、撮像装置１００は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図６はレンズ鏡筒１０を前方から見た斜視図、図７はレンズ鏡筒１０を後方の下方から見た斜視図である。
図８はレンズ鏡筒１０の正面図、図９はレンズ鏡筒１０の背面図、図１０（Ａ）は図８のＡ矢視図、（Ｂ）は図８のＢ矢視図、図１１（Ｃ）は図８のＣ矢視図、（Ｄ）は図８のＤ矢視図である。
図１２は図６のＡＡ線断面図、図１３はレンズ鏡筒１０の一部の構成を示す分解斜視図、図１４はレンズ鏡筒１０の残りの構成を示す分解斜視図である。
図１５はズーム用可動レンズ群１８、フォーカス用可動レンズ群２０の斜視図である。
【００１０】
図６〜図１４に示すように、レンズ鏡筒１０は、鏡筒１２と、撮像素子１２８と、光学系１０４とを含んで構成されている。
本実施例では、光学系１０４は、対物レンズ１４と、反射部材１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１１】
図６、図７に示すように、鏡筒１２は、全体として幅および長さ並びに厚さを有する平板形状を呈しており、撮像素子１２８と光学系１０４とは鏡筒１２の幅方向の中央からやや幅方向の一側寄りの部分で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２，１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施例では、図１に示すように、鏡筒１２の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。
したがって、鏡筒１２は、その幅方向、長さ方向、厚さ方向を、撮像装置１００のケース１０２の左右方向、上下方向、前後方向のそれぞれに合致させた状態でケース１０２内部に配置されることになる。
また、本実施例では、これら第１、第２、第３鏡筒分割体１２０２、１２０４、１２０６は合成樹脂材料によって形成されている。
【００１２】
図１２、図１３に示すように、第１鏡筒分割体１２０２は前壁、後壁、左壁、右壁により直方体状に形成され、第１鏡筒分割体１２０２の内部には、断面が矩形で下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部に取着されている。
反射部材１６は、対物レンズ１４で捉えた像を下部に向けて（撮像素子１２８側に）反射させるもので本実施例ではプリズムが用いられている。反射部材１６は、部品収容空間１２０２Ａで対物レンズ１４に臨む箇所に配置されている。
本実施例では、被写体像を撮像素子１２８に導く光学系１０４の光路が、対物レンズ１４から後方に延在し反射部材１６の反射面に至る第１の光路部分と、反射部材１６の反射面から下方に延在し撮像素子１２８に至る第２の光路部分とで構成されている。
第１の固定レンズ群２２とズーム用可動レンズ群１８とは、部品収容空間１２０２Ａ内で反射部材１６の下方に配置されている。
第１の固定レンズ群２２は、図１３に示すように、第１鏡筒分割体１２０２の取付部に組み込まれる第１の固定レンズ２２０２と、この第１の固定レンズ２２０２を前記取付部に固定させる押え部材（遮光枠を兼ねる）２２０４とで構成されている。
【００１３】
図１２、図１３に示すように、ズーム用可動レンズ群１８は、第１のズームレンズ１８０２と、互いに貼り合わされた第２、第３のズームレンズ１８０４、１８０５とで構成されている。
これら第１、第２、第３のズームレンズ１８０２、１８０４、１８０５はズーム用レンズ枠１８０６により支持されている。
ズーム用レンズ枠１８０６は、駆動手段３２によりメインガイド軸３８およびサブガイド軸４０に案内されつつそれらの光軸方向に沿って往復移動され、ズーム動作がなされる。
図１５に示すように、ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
延在部１８１２には、図１３に示すように、鏡筒１２の長手方向において互いに対向するフランジ１８１６、１８１６が設けられ、これらフランジ１８１６、１８１６には、軸３６０２、３６０２を介して雌ねじ３６０４を有する雌ねじ部材３６が鏡筒１２の長手方向に移動不能にかつ軸３６０２を支点に揺動可能に結合される。
【００１４】
また、延在部１８１２には、ロッド挿通孔１８１４が設けられている。
図１５に示すように、ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行して延在しており、本実施例では第１鏡筒分割体１２０２の長さ方向に延在している。したがって、メインガイド軸３８はズーム用可動レンズ群１８を該ズーム用可動レンズ群１８の光軸方向に案内している。
また、図１５に示すように、延在部１８１２とは反対側に位置する保持部１８１０の箇所で部品収容空間１２０２Ａの隅部に位置する箇所に係合溝１８１８が形成されている。
係合溝１８１８には、第１鏡筒分割体１２０２の長さ方向に延在するサブガイド軸４０（図１３）が滑動可能に挿通されている。したがって、サブガイド軸４０はズーム用レンズ１８がメインガイド軸３８の回りに回転することを阻止している。サブガイド軸４０は第１、第２、第３のズームレンズ１８０２、１８０４、１８０５の光軸と平行して延在しており、本実施例では第１鏡筒分割体１２０２の長さ方向に延在している。
ズーム用可動レンズ群１８用の案内機構２８は、これらメインガイド軸３８とサブガイド軸４０によって構成されている。
【００１５】
図１３、図１５に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動され、ズーム動作がなされる。
本実施例では、ズーム用可動レンズ群１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１６】
図１２、図１３に示すように、第３鏡筒分割体１２０６は、部品収容空間１２０２Ａ内に臨む内部部分１２０６Ａと、部品収容空間１２０２Ａ外に位置する外部部分１２０６Ｂとを有している。
図１３に示すように、第２の固定レンズ群２４は、その光軸をズーム用可動レンズ群１８の光軸と一致させて内部部分１２０６Ａに取着され、第２固定レンズ２４の後面にアイリス（絞り）４２が配置されている。
このアイリス４２は、光学系１０４の光軸を前記幅方向で挟んで配置された２枚の絞り羽根４２０２と、各絞り羽根４２０２を前記幅方向に移動可能に案内する案内部材４２０４とを備えている。
アイリス４２は、第３鏡筒分割体１２０６の外部部分１２０６Ｂに取着された駆動部４４により２枚の絞り羽根４２０２が接離する方向に移動されることで、２枚の絞り羽根４２０２が開閉されこれにより前記光軸に沿って進行する光束の光量を調節するように構成されている。
【００１７】
図１４に示すように、第２鏡筒分割体１２０４は、前壁１２０５Ａ、後壁１２０５Ｂ、左壁１２０５Ｃ、右壁１２０５Ｄにより直方体状に形成され、第２鏡筒分割体１２０４の内部には、断面が矩形で上下に開放された部品収容空間１２０４Ａが形成されている。
第２鏡筒分割体１２０４の下部に撮像素子取付板４６が取着され、撮像素子取付板４６が取着されることで部品収容空間１２０４Ａの下端は閉塞されている。したがって、本実施例では、第２鏡筒分割体１２０４は撮像素子取付板４６を含んで構成されている。
フォーカス用可動レンズ群２０と第３の固定レンズ群２６は、部品収容空間１２０４Ａ内に配置されている。
【００１８】
図１４に示すように、フォーカス用可動レンズ群２０は、互いに貼り合わされた第１、第２のフォーカスレンズ２００２、２００４で構成されている。
これら第１、第２のフォーカスレンズ２００２、２００４は、フォーカス用レンズ枠２００６により支持されている。
フォーカス用レンズ枠２００６は、駆動手段３４によりメインガイド軸５０およびサブガイド軸５２に案内されつつそれらの光軸方向に沿って往復移動され、フォーカス動作がなされる。
図１５に示すように、フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
延在部２０１２には、図１４に示すように、鏡筒１２の長手方向において互いに対向するフランジ２０１６、２０１６が設けられ、これらフランジ２０１６、２０１６には、軸４８０２、４８０２を介して雌ねじ４８０４を有する雌ねじ部材４８が鏡筒１２の長手方向に移動不能にかつ軸４８０２を支点として揺動可能に結合される。
【００１９】
また、延在部２０１２には、ロッド挿通孔２０１４が設けられている。
図１４、図１５に示すように、ロッド挿通孔２０１４には、第２鏡筒分割体１２０４の長さ方向に延在する金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して延在しており、本実施例では第２鏡筒分割体１２０４の長さ方向に延在している。したがって、メインガイド軸５０はフォーカス用可動レンズ群２０を該フォーカス用可動レンズ２８の光軸方向に案内している。
また、図１５に示すように、延在部２０１２とは反対側に位置する保持部２０１０に係合溝２０１８が形成されている。
係合溝２０１８には、第２鏡筒分割体１２０４の長さ方向に延在するサブガイド軸５２（図１４）が滑動可能に挿通されている。したがって、サブガイド軸５２はフォーカス用レンズ２０がメインガイド軸５０の回りに回転することを阻止している。サブガイド軸５２は第２鏡筒分割体１２０４と一体に形成されており、したがって、合成樹脂製である。サブガイド軸５２は第１、第２のフォーカスレンズ２００２、２００４の光軸と平行して延在しており、本実施例では第２鏡筒分割体１２０４の長さ方向に延在している。
フォーカス用可動レンズ群２０用の案内機構３０は、これらメインガイド軸３８とサブガイド軸４０によって構成されている。
【００２０】
図１４、図１５に示すように、フォーカス用可動レンズ群２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動され、フォーカス動作がなされる。
したがって、本実施例では、フォーカス用可動レンズ群２０とメインガイド軸５０と雄ねじ部材３４０４とが第２鏡筒分割体１２０４の内部で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
【００２１】
図１２、図１４に示すように、撮像素子取付板４６は、部品収容空間１２０４Ａの下端を閉塞するように第２鏡筒分割体１２０４の下部にねじ２０６、２０６によって取着されている。
撮像素子１２８は、撮像素子取付板４６が部品収容空間１２０４Ａに臨む内面に配置されている。
本実施例では撮像素子取付板４６に矩形の窓４６０２が設けられ、この窓４６０２に撮像素子１２８が嵌め込まれて配置され、撮像素子取付板４６の内面で撮像素子１２８の上面にシールガラス４６０４、シールゴム４６０６およびローパスフィルタ４６０８が配置され、押さえ板４６１０によって固定されている。
【００２２】
なお、図１２に示すように、部品収容空間１２０４Ａに臨む第２鏡筒分割体１２０４の前面箇所および後面箇所で第２鏡筒分割体１２０４Ａの上端と第３の固定レンズ群２６との間の箇所には凹凸部１２０４Ｃが設けられている。
また、部品収容空間１２０４Ａに臨む第２鏡筒分割体１２０４の前面箇所および後面箇所で第３の固定レンズ群２６と撮像素子１２８との間の箇所には凹凸部１２０４Ｄが設けられている。
これらの凹凸部１２０４Ｃ、１２０４Ｄは、対物レンズ１４、反射部材１６、第１の固定レンズ群２２、ズーム用可動レンズ群１８、第２固定レンズ２４、フォーカス用可動レンズ群２０を介して進入してきた光のうち、部品収容空間１２０４Ａに臨む第２鏡筒分割体１２０４の前面箇所および後面箇所に到達した光が該後面箇所で反射されることで、いわゆるフレアあるいはゴーストと呼ばれる反射光が発生し、この反射光が撮像素子１２８の受光面に到達して撮像素子１２８の撮像信号に対して悪影響を及ぼすことを防止するために設けられている。
なお、撮像素子１２８から遠い箇所に設けられた凹凸部１２０４Ｃの凹凸の間隔に対して撮像素子１２８から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２３】
第３の固定レンズ群２６は、撮像素子１２８の上方でフォーカス用可動レンズ群２０の下方の部品収容空間１２０４Ａ箇所に配置されている。
なお、図１４に示すように、第１鏡筒分割体１２０２と第２鏡筒分割体１２０４と第３鏡筒分割体１２０６とは、前記駆動部４４近傍の箇所でねじ２０２により互いに取着され、かつ、前記駆動部３４近傍の箇所でねじ２０４により互いに取着されている。
【００２４】
第３の固定レンズ群２６の取付構造について図１６乃至図２５を参照して説明する。
図１６は第２鏡筒分割体１２０４の分解斜視図、図１７は第２鏡筒分割体１４０４の正面図、図１８は図１７のＡ矢視図、図１９は図１７のＡＡ線断面図、図２０は図１７のＢＢ線断面図、図２１は図１７のＣＣ線断面図である。
図２２は第３の固定レンズ群２６とレンズ取付部５４の位置関係を示す説明図、図２３は図２２のＡＡ線断面図、図２４は治具によって第３の固定レンズ群２６を把持した状態を示す平面図、図２５は治具によって第３の固定レンズ群２６を把持した状態を示す斜視図である。
【００２５】
図１２に示すように、第３の固定レンズ群２６は第２鏡筒分割体１２０４のレンズ取付部５４に配設されている。
図１６に示すように、第３の固定レンズ群２６は、直径の大きい第１レンズ２７Ａと、第１レンズ２７Ａよりも直径の小さい第２レンズ２７Ｂとが貼り合わせて単一体として構成された第３の固定レンズ２７で構成されている。
図１８〜図２１に示すように、第３の固定レンズ２７は、厚さ方向の両端に位置する前面２７０２および背面２７０４と、これら前面２７０２および背面２７０４を接続する外周面２７０６と、第３の固定レンズ２７の光軸と直交する面上を延在する当て付け面２７０８とを備えている。
外周面２７０６は、外周面２７０６の互いに対向する箇所が切り欠かれ互いに平行する平面で形成された２つの平面部２７１０と、２つの平面部２７１０の両端をそれぞれ接続する２つの環状面２７１２とを有している。無論、２つの平面部２７１０によって切り欠かかれた第３の固定レンズ２７の部分は、光学系１０４の有効径の外側の部分で、撮像に寄与しない部分である。
本実施例では、当て付け面２７０８は、第２レンズ２７Ｂの半径方向の外側に露出する第１レンズ２７Ａの背面部分で構成されている。
また、平面部２７１０および環状面２７１２は、第１レンズ２７Ａの外周面に形成されている。
環状面２７１２は、第３の固定レンズ２７の光軸を中心とした円筒面で形成されている。
２つの平面部２７１０は、第３の固定レンズ２７の光軸を通る仮想の平面に対して直交する平面上を延在している。各平面部２７１０は、第３の固定レンズ２７の厚さ方向に沿った幅と、前記幅と直交する方向に延在する長さとを有し、矩形状に形成されている。
【００２６】
レンズ取付部５４は、当て付け面２７０８に当接可能な当接壁５４０２と、当て付け面２７０８を当接壁５４０２に当接させるばね手段５６と、各平面部２７１０との間に隙間をあけて各平面部２７１０にそれぞれ臨むように設けられた２つの取り付け壁５４０４と、各取り付け壁５４０４に第３鏡筒分割体１２０４の内部と外部とを貫通し第３鏡筒分割体１２０４の内部において平面部２７１０に臨むようにそれぞれ設けられた接着剤注入用孔５４０６，５４０７とを備えている。
第３鏡筒分割体１２０４の部品収容空間１２０４Ａは、その輪郭が矩形を呈し、２つの取り付け壁５４０４は、第２鏡筒分割体１２０４の前壁１２０５Ａおよび後壁１２０５Ｂにより構成されている。
第３の固定レンズ２７は、各平面部２７１０を前壁１２０５Ａおよび後壁１２０５Ｂにほぼ平行させ、各環状面２７１２を左壁１２０５Ｃおよび右壁１２０５Ｄに近接させて配置されている。
当接壁５４０２は、図１９、図２０に示すように、左壁１２０５Ｃおよび右壁１２０５Ｄの内面に突出形成され、第３の固定レンズ２７の当て付け面２７０８の左右側部に当接している。
ばね手段５６は、ばね鋼板から形成され、図１６に示すように、第３の固定レンズ２７の前面２７０２の外周に臨む環状の枠部５６０２と、枠部５６０２の複数箇所に膨出形成された膨出部５６０４と、枠部５６０２の互いに対向する箇所から突設された係止爪５６０６および取付片５６０８とで構成されている。
ばね手段５６は、図１９に示すように、係止爪５６０６が第２鏡筒分割体１２０４の左壁１２０５Ｃの係止溝に挿入され、取付片５６０８が右壁１２０５Ｄにねじを介して取着され、各膨出部５６０４が第３の固定レンズ２７の前面２７０２の外周面寄り箇所に弾接し、第３の固定レンズ２７を当接壁５４０２に当接させている。
【００２７】
接着剤注入用孔５４０６，５４０７の断面は、平面部２７１０の幅よりも小さい寸法の幅と、平面部２７１０の長さよりも大きい寸法の長さを有し、接着剤注入用孔５４０６は、平面部２７１０の長さ方向における両端の環状面２７１２の端部に臨むように形成されている。
そして、第３の固定レンズ２７は、ばね手段５６により当て付け面２７０８が当接壁５４０２に当接された状態で、第３の固定レンズ２７の光軸が光学系１０４の光軸に合致されるように位置調整（調芯）がなされ、接着剤注入用孔５４０６，５４０７に注入された接着剤により２つの平面部２７１０が各取り付け壁５４０４にそれぞれ固定されることで配置されている。本実施例では接着剤として紫外線硬化型接着剤を用いている。
【００２８】
以上説明したように本実施例によれば、第３の固定レンズ２７の外周面２７０６は、外周面２７０６の互いに対向する箇所が切り欠かれ互いに平行する平面で形成された２つの平面部２７１０を有し、各平面部２７１０が前壁１２０５Ａおよび後壁１２０５Ｂにほぼ平行するように配置されているので、第３分割筐体１２０４の前後方向の厚さを短縮し、撮像装置の小型化を図る上で有利となる。
また、２つの平面部２７１０が前壁および後壁にほぼ平行するように配置され、各前壁１２０５Ａおよび後壁１２０５Ｂにはそれぞれ接着剤注入用孔５４０６，５４０７が形成され、各接着剤注入用孔５４０６，５４０７の断面は、平面部２７１０の幅よりも小さい寸法の幅と、平面部２７１０の長さよりも大きい寸法の長さからなる大きな形状で形成されているので、接着剤を注入する前にこれら接着剤注入用孔５４０６を利用して第３の固定レンズ２７の光軸調整を簡単に行うことができ、組み立て作業効率を向上し組み立てコストを低減する上で有利となる。
また、第３の固定レンズ２７の位置決めと接着を同一の接着剤注入孔５４１０を用いて行なうため、鏡筒１２に設ける孔が少なくて済み、鏡筒１２の小型化および強度向上を図る上で有利である。
また、本実施例では、当接壁５４０２とばね手段５６によって第３の固定レンズ２７を保持しているので、適宜治具により接着剤注入用孔５４０６，５４０７から第３の固定レンズ２７の光軸調整を行った後、前記の治具を取り出しても第３の固定レンズ２７は光軸調整された状態に保持され、したがって、組み立て作業効率をより一層向上する上で有利となる。
【００２９】
上記の第３の固定レンズ２７の取り付け構造によれば以下に説明するような治具を用いることで極めて簡単に光軸調整ならびに接着剤による固定を行うことが可能となる。
次にこのような取り付け方法について詳細に説明する。
図２２に示すように、まず、第３の固定レンズ２７を第１レンズ２７Ａが上方に臨み第２レンズ２７Ｂが下方（撮像素子１２８）に臨んだ状態でレンズ取付部５４に挿入し、２つの平面部２７１０を前壁１４０５Ａ、後壁１４０５Ｂとほぼ平行させ、第３の固定レンズ２７の当て付け面２７０８を当接部５４０２に臨ませる。
次いで、図２３に示すように、ばね手段５６をレンズ取付部５４に挿入し、係止爪５６０６を左壁１２０５Ｃの係止溝に挿入し、取付片５６０８を右壁１２０５Ｄにねじを介して取着し、これにより、各膨出部５６０４を第３の固定レンズ２７の前面２７０２の外周面寄り箇所に弾接させ、ばね手段５６によって第３の固定レンズ２７の当て付け面２７０８を当接部５４０２に当て付ける方向に付勢させ、当て付け面２７０８を当接部５４０２に当接させた状態とし、この状態を保持させる。
【００３０】
次に、図２４、図２５に示すように、前壁用治具８０を接着剤注入用孔５４０６に挿入し、また、後壁用治具８２を接着剤注入用孔５４０７に挿入する。
前壁用治具８０は、接着剤注入用孔５４０６に挿入されるように、断面が接着剤注入用孔５４０６よりも小さい矩形状部分を有し、その先端は２つの傾斜面８００２からなる溝８００４を有し、各傾斜面８００２は平面部２７１０の両端部に位置する環状面２７１２箇所に当接可能に形成されている。
後壁用治具８２は、接着剤注入用孔５４０７に挿入されるように、断面が接着剤注入用孔５４０７よりも小さい矩形状部分を有し、その先端面８２０２は平面部の長さよりも大きな長さの平面で形成されている。
前壁用治具８０が接着剤注入用孔５４０６に挿入されることで、２つの傾斜面８００２が環状面２７１２箇所に当接し、後壁用治具８２が接着剤注入用孔５４０７に挿入されることで、先端面８２０２が平面部２７１０に当接する。これにより、第３の固定レンズ２７はその光軸を中心として回転不能に把持されることになる。
そして、これら前壁用治具８０と後壁用治具８２により、第３の固定レンズ２７を、ばね手段５６の付勢力に抗して、この第３の固定レンズ２７の光軸と直交する平面内において互いに直交するＸ軸方向（第２鏡筒分割体１２０４の左右方向）と、Ｙ軸方向（第２鏡筒分割体１２０４の前後方向）とに移動することによって光軸調整を行う。すなわち、第３の固定レンズ２７を左右方向および前後方向に平行移動することによって光軸調整を行う。
本実施例の第３の固定レンズ２７は、互いに対向する箇所に２つの平面部２７１０を備えており、第３の固定レンズ２７の光軸を通り２つの平面部２７１０を結ぶ方向の寸法に対して、２つの平面部２７１０を結ぶ方向と直交する方向の寸法は大きい。そのため、第３の固定レンズ２７を動かして光軸調整を行う際に、前壁１４０５Ａや後壁１４０５Ｂに当接して第３の固定レンズ２７が損傷しないように、また、有効径の範囲内に平面部２７１０が入らないように、第３の固定レンズ２７を光軸回りに回転させることはせず、第３の固定レンズ２７を左右方向および前後方向に平行移動することによって光軸調整を行う。
前壁用治具８０と後壁用治具８２は、Ｘ軸方向およびＹ軸方向に沿って高い精度で移動するように不図示のマイクロメータヘッドや自動ステージなどの従来公知の様々な駆動機構（例えばＸＹテーブルなど）に連結されており、該駆動機構を操作することによって前壁用治具８０と後壁用治具８２がＸ軸方向およびＹ軸方向に沿って平行移動されるように構成されている。
したがって、前壁用治具８０と後壁用治具８２が動かされることにより第３の固定レンズ２７がＸ軸方向、Ｙ軸方向に沿って移動され、光学系１０４の光軸に第３の固定レンズ２７の光軸が合致される。この状態で、第３の固定レンズ２７の２つの平面部２７１０は前壁１４０５Ａ、後壁１４０５Ｂとそれぞれ平行している。
なお、第３の固定レンズ２７の位置決めは、対物レンズ１４によって所定のテストチャート（テストパターン）を捉え、光学系１０４によって前記テストチャートを撮像素子１２８に結像させ、その撮像素子１２８によって得られた画像データをディスプレイに表示させ、該表示された画像データを視認しつつ行なわれる。
【００３１】
このようにして第３の固定レンズ２７の光軸が光学系１０４の光軸と合致されたならば、前壁用治具８０と後壁用治具８２を接着剤注入用孔５４０６，５４０７から抜去する。
そして、前壁用治具８０と後壁用治具８２を接着剤注入用孔５４０６，５４０７から抜去しても、第３の固定レンズ２７はばね手段５６により当接壁５４０２に当て付けられているため、光軸調整された状態が保持される。
前壁用治具８０と後壁用治具８２を接着剤注入用孔５４０６，５４０７から抜去した後、接着剤注入用孔５４０６，５４０７から接着剤注入用のシリンジを挿入し、図２２に示すように、シリンジから紫外線硬化型接着剤Ｓを、少なくとも各平面部２７１０の部分と各接着剤注入用孔５４０６，５４０７の部分とにわたり注入する。
そして、紫外線を紫外線硬化型接着剤Ｓに照射することで紫外線硬化型接着剤を硬化させ、これにより第３の固定レンズ２７をレンズ取付部５４に取着する。
なお、接着剤注入用孔５４０６，５４０７の外側から各紫外線硬化型接着剤Ｓに対して同時に紫外線を照射した場合には、双方の紫外線が第３の固定レンズ２７を透過するため、各紫外線硬化型接着剤Ｓにまんべんなく照射されることになり硬化時間を短縮する上で有利となる。
【００３２】
上述の取り付け方法によれば、第３の固定レンズ２７の位置決めと接着を同一の接着剤注入孔５４１０を用いて行なえるため、鏡筒１２に設ける孔が少なくて済み、鏡筒１２の小型化および強度向上を図る上で有利である。
また、当接壁とばね手段によって第３の固定レンズ２７を保持しているので、適宜治具により接着剤注入用孔５４０６，５４０７から第３の固定レンズ２７の光軸調整を行った後、前記の治具を取り出しても第３の固定レンズ２７は光軸調整された状態に保持され、したがって、組み立て作業効率をより一層向上する上で有利となる。
また、光軸調整の際、互いに対向する２つの接着剤注入用孔５４０６，５４０７から互いに対向する第３の固定レンズ２７の箇所に前壁用治具８０と後壁用治具８２を当て付けるので、前壁用治具８０と後壁用治具８２により第３の固定レンズ２７を回転させることなく平行移動でき、光軸調整の際の第３の固定レンズ２７の損傷を防止でき、また、有効径の範囲内に平面部２７１０が入ることを防止できる。
【実施例２】
【００３３】
次に実施例２について説明する。
実施例２が実施例１と異なるのは、接着剤注入用孔の形状と前壁用治具８０と後壁用治具８２の形状である。
図２６は、実施例２における治具によって第３の固定レンズ群２６を把持した状態を示す平面図である。以下では実施例１と同様の部分および部材には同一の符号を付して説明する。
図２６に示すように、前壁１２０５Ａの接着剤注入用孔５４０６は、平面部２７１０の長さ方向に間隔をおいて２つ設けられ、それらの間に中間壁１２３０が介在している。
各接着剤注入用孔５４０６は、平面部２７１０の長さ方向の端部およびこの端部に接続する環状面２７１２の端部に臨むように形成されている。
後壁１２０５Ｂの接着剤注入用孔５４０７も同様に中間壁１２３２を介在させて２つ設けられている。
前壁用治具８０の先部には２つの先端部８００６が設けられ、各先端部８００６には実施例１と同様の傾斜面８００２がそれぞれ形成されている。
後壁用治具８２の先部には２つの先端部８２０６が設けられ、各先端部８２０６には実施例１と同様の先端面８２０２がそれぞれ形成されている。
このような実施例２においても実施例１と同様の作用効果を奏することは無論のこと、実施例２では、中間壁１２３０，１２３２を設けたので、前壁１４０５Ａおよび後壁１４０５Ｂの強度を向上させる上で有利となる。
【実施例３】
【００３４】
次に実施例３について説明する。
実施例３は実施例２の変形例であり、治具の２つの先端部の間に接着剤注入用のシリンジを配設したものである。
図２７は、実施例３における治具によって第３の固定レンズ群２６を把持した状態を示す斜視図である。
前壁用治具８０の先部は、実施例２と同様に平面部２７１０の長さ方向に間隔をおいた２つの先端部８００６と、これら２つの先端部８００６の間に設けられた凹部８０１０と、先端部８００６と凹部８０１０とにわたって設けられた切り欠き８００８とで構成され、各先端部８００６には実施例１と同様の傾斜面８００２がそれぞれ形成されている。
後壁用治具８２の先部も、前壁用治具８０と同様に、２つの先端部８２０６と、これら２つの先端部８２０６の間に設けられた凹部８２１０と、先端部８００６と凹部８０１０とにわたって設けられた切り欠き（不図示）とで構成され、各先端部８００６には実施例１と同様の平坦な先端面（不図示）がそれぞれ形成されている。
前壁用治具８０の凹部８０１０と、後壁用治具８２の凹部８２１０にはそれぞれ接着剤注入用のシリンジ９０、９２が配置されている。
【００３５】
このように構成された前壁用治具８０および後壁用治具８２を、実施例１と同様に構成された第２鏡筒分割体１４０４のレンズ取付部５４に対して用いることによって、以下に説明するように、第３の固定レンズ２７の光軸調整および取り付けを行う。
第３の固定レンズ２７の光軸調整は、前壁用治具８０を接着剤注入用孔５４０６に挿入して各傾斜面８００２を環状面２７１２箇所に当接させ、後壁用治具８２を接着剤注入用孔５４０７に挿入して先端面８２０２を平面部２７１０に当接させ、前壁用治具８０と後壁用治具８２により、第３の固定レンズ２７を、ばね手段５６の付勢力に抗して、この第３の固定レンズ２７の光軸と直交する平面内において互いに直交するＸ軸方向（第２鏡筒分割体１２０４の左右方向）と、Ｙ軸方向（第２鏡筒分割体１２０４の前後方向）とに移動することによって行う。
また、第３の固定レンズ２７とレンズ取付部５４の取着は、前壁用治具８０と後壁用治具８２を接着剤注入用孔５４０６，５４０７に挿入した状態で、シリンジ９０を前壁用治具８０の凹部８０１０を介して接着剤注入用孔５４０６に挿入し、シリンジ９０から紫外線硬化型接着剤を、少なくとも平面部２７１０の部分と接着剤注入用孔５４０６部分とにわたり注入する。また、シリンジ９２を後壁用治具８２の凹部８２１０を介して接着剤注入用孔５４０７に挿入し、シリンジ９２から紫外線硬化型接着剤を、少なくとも平面部２７１０の部分と接着剤注入用孔５４０７部分とにわたり注入し、紫外線を紫外線硬化型接着剤に照射することで紫外線硬化型接着剤を硬化させることで行う。
このような実施例３においても実施例１と同様の作用効果を奏することは無論のこと、実施例３では、前壁用治具８０と後壁用治具８２を接着剤注入用孔５４０６，５４０７に挿入した状態で、接着剤の注入を行うことができるため、作業時間を短縮してコストを削減する上で有利となる。
【００３６】
また、本実施例においては、撮像装置としてデジタルスチルカメラを例示したが、本発明はビデオカメラやテレビカメラなど撮像装置に無論適用可能である。
【図面の簡単な説明】
【００３７】
【図１】実施例１の撮像装置を前方から見た斜視図である。
【図２】実施例１の撮像装置を後方から見た斜視図である。
【図３】実施例１の撮像装置を下方から見た斜視図である。
【図４】メモリカードおよびバッテリーの収容状態を説明する説明図である。
【図５】撮像装置の制御系を示すブロック図である。
【図６】レンズ鏡筒１０を前方から見た斜視図である。
【図７】レンズ鏡筒１０を後方の下方から見た斜視図である。
【図８】レンズ鏡筒１０の正面図である。
【図９】レンズ鏡筒１０の背面図である。
【図１０】（Ａ）は図８のＡ矢視図、（Ｂ）は図８のＢ矢視図である。
【図１１】（Ｃ）は図８のＣ矢視図、（Ｄ）は図８のＤ矢視図である。
【図１２】図６のＡＡ線断面図である。
【図１３】レンズ鏡筒１０の一部の構成を示す分解斜視図である。
【図１４】レンズ鏡筒１０の残りの構成を示す分解斜視図である。
【図１５】ズーム用可動レンズ群１８、フォーカス用可動レンズ群２０の斜視図である。
【図１６】第２鏡筒分割体１２０４の分解斜視図である。
【図１７】第２鏡筒分割体１４０４の正面図である。
【図１８】図１７のＡ矢視図である。
【図１９】図１７のＡＡ線断面図である。
【図２０】図１７のＢＢ線断面図である。
【図２１】図１７のＣＣ線断面図である。
【図２２】第３の固定レンズ群２６とレンズ取付部５４の位置関係を示す説明図である。
【図２３】図２２のＡＡ線断面図である。
【図２４】治具によって第３の固定レンズ群２６を把持した状態を示す平面図である。
【図２５】治具によって第３の固定レンズ群２６を把持した状態を示す斜視図である。
【図２６】実施例２における治具によって第３の固定レンズ群２６を把持した状態を示す平面図である。
【図２７】実施例３における治具によって第３の固定レンズ群２６を把持した状態を示す斜視図である。
【符号の説明】
【００３８】
１００……撮像装置、１０４……光学系、１２８……撮像素子、１０……レンズ鏡筒、１２……鏡筒、５４……レンズ取付部、２７……第３の固定レンズ、２７０２……前面、２７０４……背面、２７０６……外周面、２７０８……当て付け面、２７１０……平面部、２７１２……環状面、５４０２……当接壁、５４０４……取り付け壁、５４０６，５４０７……接着剤注入用孔、５６……ばね手段。
【図１】
2006133344.tif 000003
【図２】
2006133344.tif 000004
【図３】
2006133344.tif 000005
【図４】
2006133344.tif 000006
【図５】
2006133344.tif 000007
【図６】
2006133344.tif 000008
【図７】
2006133344.tif 000009
【図８】
2006133344.tif 000010
【図９】
2006133344.tif 000011
【図１０】
2006133344.tif 000012
【図１１】
2006133344.tif 000013
【図１２】
2006133344.tif 000014
【図１３】
2006133344.tif 000015
【図１４】
2006133344.tif 000016
【図１５】
2006133344.tif 000017
【図１６】
2006133344.tif 000018
【図１７】
2006133344.tif 000019
【図１８】
2006133344.tif 000020
【図１９】
2006133344.tif 000021
【図２０】
2006133344.tif 000022
【図２１】
2006133344.tif 000023
【図２２】
2006133344.tif 000024
【図２３】
2006133344.tif 000025
【図２４】
2006133344.tif 000026
【図２５】
2006133344.tif 000027
【図２６】
2006133344.tif 000028
【図２７】
2006133344.tif 000029